(57)【特許請求の範囲】
【請求項１】
単位電池を含む電池集合体と
前記電池集合体が内蔵され、前記電池集合体の周囲に形成されて冷却媒体が流通する流通路を有するハウジングと、
前記流通路の長さ方向に沿うように配置されて前記流通路を分割する分割板を含む分割物と、を有し、
前記電池集合体は前記流通路を隔てて一対で配置され、
前記流通路は、前記流通路を分割する前記分割板により形成されて、前記流通路の中心に配置される第１流通路と、この第１流通路の両側に配置される第２流通路とを含み、
前記分割板の先端には、前記電池集合体内の所定箇所の単位電池に向けて延長された拡張板が設けられている電池モジュール。
【請求項２】
前記拡張板は、前記分割板に対して任意の角度で傾いて折り曲げられた請求項１に記載の電池モジュール。
【請求項３】
前記拡張板は前記分割板に対して直角に折り曲げられた請求項１に記載の電池モジュール。
【請求項４】
前記分割板が前記電池集合体と実質的に平行に配置された請求項１に記載の電池モジュール。
【請求項５】
前記ハウジングは、前記ハウジングへ冷却媒体が流入する流入通路、及び前記ハウジングから冷却媒体が排出される排出通路を含み、
前記分割物は前記流入通路に近接して設置された請求項１に記載の電池モジュール。
【請求項６】
前記ハウジングは、前記冷却媒体が流入する流入通路及び前記冷却媒体が排出される排出通路を含む請求項１に記載の電池モジュール。
【請求項７】
前記流通路の長さ方向に垂直な前記第１流通路の断面積と、前記第２流通路の断面積とが実質的に同一である請求項１に記載の電池モジュール。
【請求項８】
前記一対の電池集合体が前記ハウジング内部の同一平面上に配置される請求項１に記載の電池モジュール。
【請求項９】
前記単位電池の間に隔壁が設置された請求項１に記載の電池モジュール。
【請求項１０】
前記ハウジングは、前記冷却媒体が流入する流入口と、この冷却媒体が前記ハウジングから排出される排出口とを対向して配置し、前記電池集合体の両側に、前記流入口及び前記排出口に連通する流入通路と排出通路を形成した請求項１に記載の電池モジュール。
【請求項１１】
前記電池集合体が前記ハウジング内に対向配置され、前記ハウジングの中央に流入口と流入通路が形成され、前記ハウジングの両側に排出通路と排出口が形成された請求項１に記載の電池モジュール。
【請求項１２】
前記ハウジングは、前記冷却媒体が前記ハウジング内部に流入するための流入口を含み、
前記分割物は、前記流入口に向かった先端が楔形態に形成された請求項１に記載の電池モジュール。
【発明の詳細な説明】
【技術分野】
【０００１】
本発明は、二次電池に関する。より詳しくは、本発明は、複数個の二次電池を連結して電池モジュールを構成する際、単位電池の冷却効率を向上させた電池モジュールに関するものである。
【背景技術】
【０００２】
二次電池（rechargeable  battery）は、充電が不可能な一次電池とは異なって充電及び放電が可能な電池である。低容量の二次電池は、携帯電話機やラップトップコンピュータ及びキャムコーダーのような携帯可能な小型電子機器に使用され、大容量の二次電池は、ハイブリッド電気自動車などのモーター駆動用電源として幅広く使用されている。
【０００３】
前記二次電池は色々な形状に製造されている。代表的な形状としては、円筒形、角型が挙げられる。大電力を必要とする機器、例えば、電気自動車などのモーター駆動に用いられるように、前記高出力二次電池は、複数を直列に連結して大容量の二次電池を構成するようになる。
【０００４】
このように一つの大容量二次電池（以下、明細書全体を通じて、説明の便宜上“電池モジュール”と称する）は、通常直列に連結される複数の二次電池（以下、明細書全体を通じて、説明の便宜上“単位電池”と称する）からなる。
【０００５】
前記各々の単位電池は、正極と負極がセパレータを隔てて位置する電極群と、前記電極群が内蔵される空間部を備えたケースと、前記ケースに結合されてこれを密閉するギャップ組立体、及び前記ギャップ組立体上に突出し、前記電極組立体に備えられた正、負極の集電体と電気的に連結される正、負極端子を含む。
【０００６】
そして、各々の単位電池は、通常角型電池の場合、ギャップ組立体の上部に突出した正極端子及び負極端子が、隣接する単位電池の正極端子及び負極端子と交差するように各単位電池を交差配列し、ネジ加工された負極端子と正極端子との間に、ナットを媒介として導電体を連結設置して電池モジュールを構成する。
【０００７】
ここで、前記電池モジュールは、数個から多くは数十個の単位電池を連結して一つの電池モジュールを構成するので、各単位電池で発生する熱を容易に放出しなければならず、何よりも、電池モジュール内で各単位電池の設置位置間の温度差が大きくてはいけない。二次電池モジュールの熱放出特性は、電池の性能を左右する程の大変重要な要素である。
【０００８】
熱放出がうまく行われない場合、各単位電池間に温度偏差が発生して充/放電効率を低下させ、単位電池で発生する熱により電池内部の温度が上昇し、結果的に電池の性能が低下し、さらには爆発の危険を招く。
【０００９】
特に、前記電池モジュールが電動掃除機、電動スクーターや自動車用（電気自動車またはハイブリッド電気自動車）のモーター駆動用の大容量二次電池として適用される場合、大電流で充電/放電されるので、使用状態によって二次電池の内部反応によって熱が発生し、相当な温度まで上がるようになるが、これは電池特性に影響を与えて電池固有の性能を低下させる。したがって、熱放出は何よりも重要であると言える。
【発明の開示】
【発明が解決しようとする課題】
【００１０】
従って、本発明は、前記の必要性を勘案して発明されたものであって、その目的は、冷却媒体の流通構造を改善して、単位電池の温度制御効果が優れていると共に、各単位電池間の温度偏差を最小化することができる二次電池モジュールを提供することにある。
【課題を解決するための手段】
【００１１】
本発明の実施例による電池モジュールは、単位電池を含む電池集合体と、前記電池集合体が内蔵され、前記電池集合体の周囲に形成されて冷却媒体が流通する流通路を有するハウジング、及び前記流通路に設置されて前記流通路を分割する分割物（divider）を含み、前記電池集合体は前記流通路を隔てて一対で配置され、前記流通路は、前記流通路を分割する前記分割板により形成されて、前記流通路の中心に配置される第１流通路と、この第１流通路の両側に配置される第２流通路とを含み、前記分割板の先端には、前記電池集合体内の所定箇所の単位電池に向けて延長された拡張板が設けられることを特徴とする。
【００１４】
前記拡張板は、前記分割板に対して任意の角度で傾いて折り曲げることができる。
【００１５】
前記拡張板は、前記分割板に対して直角に折り曲げることができる。
【００１６】
前記分割板は、前記電池集合体と実質的に平行に配置されることができる。
【００１８】
前記ハウジングは、前記ハウジングへ冷却媒体が流入する流入通路、及び前記ハウジングから冷却媒体が排出される排出通路を含み、前記分割物は前記流入通路に近接して設置されることができる。
【００１９】
前記ハウジングは、前記冷却媒体が流入する流入通路及び前記冷却媒体が排出される排出通路を含む。
【００２０】
前記流通路の長さ方向に垂直な前記第１流通路の断面積と、前記第２流通路の断面積とは実質的に同一であることができる。
【００２２】
前記一対の電池集合体は、前記ハウジング内部の同一平面上に配置されることができる。
【００２３】
前記単位電池の間には隔壁が設置されることができる。
【００２４】
前記ハウジングは、前記冷却媒体が流入する流入口と、この冷却媒体が前記ハウジングから排出される排出口とを対向して配置し、前記電池集合体の両側に、前記流入口及び前記排出口に連通する流入通路と排出通路を形成することができる。
【００２５】
前記電池集合体が前記ハウジング内に対向配置され、前記ハウジングの中央に流入口と流入通路が形成され、前記ハウジングの両側に排出通路と排出口が形成されることができる。
【００２７】
前記ハウジングは、前記冷却媒体が前記ハウジング内部に流入するための流入口を含み、前記分割物は、前記流入口に向かった先端が楔形態に形成される。
【発明の効果】
【００３３】
本実施例によれば、ハウジング内で流通する冷却媒体の流通路構造を改善することにより、電池モジュールを構成する単位電池の冷却を均一であるようにして、電池モジュールの機能向上が期待できる。
【発明を実施するための最良の形態】
【００３４】
以下、添付した図面を参照して、本発明の実施例について本発明が属する技術分野にて通常の知識を有する者が容易に実施できるように詳しく説明する。しかし、本発明は色々な相違した形態で実現でき、ここで説明する実施例に限られない。
【００３５】
以下の説明では、電池モジュールの単位電池に対する冷却媒体として空気を利用したことを例に挙げて説明する。もちろん、本発明が冷却媒体として空気を使用することに限定されるわけではなく、冷却水やその他の流体などを使用する場合も適用できる。
【００３６】
図１は、本発明の実施例による電池モジュールの構成を示した概略的な斜視図である。
【００３７】
図１を参照して、本実施例による電池モジュール１０を見てみれば、この電池モジュール１０は、複数個の単位電池１２が一定の間隔をおいて連続的に配列されて成る電池集合体１１と、この電池集合体１１を内蔵させ、前記各単位電池１２に温度制御用空気を流通させるためのハウジング２０とを含む。
【００３８】
ここで、前記各単位電池１２は、セパレータを隔ててその両側に正極と負極が配置される電極組立体を備え、予め設定された正の電力を充、放電させる通常の構造の二次電池として構成される。
【００３９】
前記電池集合体１１は、言及した通り複数個の単位電池１２が一定の間隔で配置されて、一つの列を成した構造を意味する。
【００４０】
本実施例によれば、前記電池集合体１１は、ほぼ四角形（本実施例では一対の長辺と一対の短辺を有する横幅の広い長方形）の外形を有する単位電池１２が直立するように配列されて、積層されるのが好ましい。
【００４１】
具体的に、前記電池集合体１１は少なくとも一つ以上が備えられ、本実施例では、図面に示したように二つが一対を成して、ハウジング２０内で同一平面上に相互に離隔するように配置される。
【００４２】
このように、前記電池集合体１１をハウジング２０内部の同一平面上に配置する理由は、電池モジュール１０の全体の高さを最小化するためである。
【００４３】
このような電池集合体１１は、各単位電池１２の間及び最外側に配置された単位電池１２の外側に隔壁１３を設置している。前記隔壁１３は、各単位電池１２の間隔を一定に維持させながら温度制御用空気を流通させ、各単位電池１２の側面を支持する機能を有する。
【００４４】
このために、前記各々の隔壁１３には、これら単位電池１２の間に温度制御用空気、つまり、単位電池１２の温度を制御するための比較的低い温度の冷却空気が流通するチャンネル１４が形成されている。
【００４５】
本実施例で、前記チャンネル１４は、図１に仮想線で示したように、隔壁１３内部を貫通して形成される構造を有するが、温度制御用空気を流通させられれば充分であって、その構造は特に限られない。
【００４６】
このような電池モジュール１０において、前述のハウジング２０は、前記電池集合体１１が装着されることはもちろん、この電池集合体１１の各単位電池１２の間のチャンネル１４に温度制御用空気を流通させて、各々の単位電池１２から発生する熱が冷却されるようにする。
【００４７】
このために、本実施例のハウジング２０は、前記電池集合体１１を定着させるための定着部２５と、ハウジング２０の内部に並んで配置された一対の電池集合体１１を基準に、これら電池集合体１１の間のハウジング２０の中央と各電池集合体１１の外側とに対応するハウジング２０の両側に、各々温度制御用空気が流通する流入通路２６、流通路２３、及び排出通路２４を形成する。
【００４８】
ここで、流入通路２６と排出通路２４は、実質的に前記空気がハウジング２０内部に流入または排出できるように備えられた流入口２１及び排出口２２に連結される。
【００４９】
本実施例において、流通路２３は流入通路２６に連結されるように設計され、同時に、このような流入通路２６、流通路２３、及び排出通路２４は、電池モジュール１０の冷却媒体の流れのタイプ（ブロワータイプまたは吸引タイプ）によって、冷却媒体が流入する通路であるかまたは冷却媒体が排出される通路であるかが最終的に決定される。
【００５０】
以下の説明では、前記ハウジング２０の中央に温度制御用空気が流入して、ハウジング２０中央が流入通路２６及び流通路２３として利用され、ハウジング２０の両側に排出通路２４と排出口２２が位置する構造であり、中央の流入通路２３に連結された流入口２１を通して空気を吹き込むブロワータイプを例に挙げて説明する。
【００５１】
前記定着部２５は、電池集合体１１を収容しながら、この電池集合体１１を固定させるための受容空間を形成するが、この受容空間は、ハウジング中央の流通路２３を基準に両側に配置され、一対の電池集合体１１が各定着部２５に、ハウジング２０の長さ方向に沿って装着される。
【００５２】
前記流通路２３はハウジング２０中央に配置され、その両側に電池集合体１１が位置する。また、前記排出通路２４は、ハウジング２０の内部の両側で各電池集合体１１の外側に位置し、温度制御用空気の進行方向に沿って配置される排出口２２に連通する。
【００５３】
したがって、温度制御用空気は、流入口２１を通してハウジング２０中央に形成された流入通路２６に入り、流通路２３に沿って配列された各電池集合体１１の単位電池１２の間の隔壁１３を通して排出通路２４に移動して、排出口２２を通して排出される。
【００５４】
ここで、流通路２３には、この流通路２３を分割する分割物３０が設置される。この分割物３０は、流入通路２６から流通路２３に流入した前記空気を、電池集合体１１の部位別に選択的に供給するためのものであって、本実施例では次のように構成される。
【００５５】
分割物３０は、所定の間隔を維持しながら流通路２３上に配置される複数の分割板３１を含む。この分割板３１は、流通路２３の長さ方向及び電池集合体１１の長さ方向に沿って電池集合体１１と平行に配置される。さらに、本実施例で分割物３０は、分割板３１の先端で電池集合体１１の方向に折り曲がれて延長形成された拡張板３２を含む。
【００５６】
ここで、拡張板３２は図２に示したように、分割板３１との間に鈍角を形成しながら、電池集合体１１側に折り曲げて形成することもでき、図３に示したように、拡張板３２´は、分割板３１に対して直角状態で折り曲げて形成することもできる。
【００５７】
このような分割板３１と拡張板３２´は、実質的にその上、下面をハウジング２０の内面に固定させて、ハウジング２０に連結された構造を有することができ、ハウジング２０が電池集合体１１の装着のために、適正の構造に分離形成されることもできる。
【００５８】
追加的に、前記分割板３１は、冷却用空気の進行方向に沿ってその先端が流入口２１に向かった方向に延びるが、これは、少なくとも流通路２３が始まる部位まで延びなければならず、好ましくは、流通路２３を通過して流入口２１まで延びた方が良い。
【００５９】
また、前記拡張板３２は、その先端を電池集合体１１に密接に接するように配置されるのが良い。
【００６０】
本実施例では、ハウジング１０中央の流通路２３を中心に、両側に電池集合体１１が配置されるので、流通路２３に２個の分割板３１が任意の間隔をおいて設置されて、２個の分割板３１の間に第１流通路２３０が形成されるようにし、各電池集合体１１と分割板３１との間に第２流通路２３２が形成されるようにする。
【００６１】
したがって、流入口２１を通して流入した温度制御用空気は分割板３１によって分けられ、一部は第１流通路２３０へ流れて行き、一部は第２流通路２３２へ流れて行くようになる。
【００６２】
ここで、流通路２３上で前記分割物３０が位置する区間（Ｄ１）は、電池集合体１１の長さ方向に対してほぼ５０％に該当する領域であって、流入口２１側の先端から中間地点までである。
【００６３】
この区間（Ｄ１）内に位置した電池集合体１１の単位電池１２は、第２流通路２３２を通して流入した空気を冷却媒体として供給される。
【００６４】
そして、流通路２３の残りの区間（Ｄ２）は、ほぼ電池集合体１１の全体の長さに対して５０％に該当するが、この区間（Ｄ２）内に位置した電池集合体１１の単位電池１２は、第１流通路２３０を通して流入した空気を冷却媒体として供給される。
【００６５】
一方、流通路２３内で前記分割物３０が位置する区間、つまり、その長さは前記のように特に限定されるわけではなく、この分割物３０によって分割されたサブ流通路の断面積（流通路の長さ方向に対して垂直した方向の断面積）や幅（流通路の長さ方向に対して垂直した方向に対する幅）によって適切に調整されることができる。
【００６６】
その観点から、本実施例における第１流通路２３０の幅（Ｗ１）は、第２流通路２３２の幅（Ｗ２、Ｗ３）の合計と同一になるように形成される。言い換えると、第１流通路２３０の断面積が第２流通路２３２の断面積の合計と同一になるように形成されることと同じであると言える。
【００６７】
このような流通路２３０、２３２の形成条件により、流入通路２６から流通路２３に流入した空気は、その全体量の５０％は第１流通路２３０に流入してこれに沿って流れるようになり、残りの５０％は第２流通路２３２に流入してこれに沿って流れるようになる。
【００６８】
図４は、本発明による電池モジュールの他の実施例を示したものであって、この他の実施例の電池モジュールは、その全体的な構造は前述の実施例と同一にし、ただ分割物の構造を異なるように構成されるが、以下では、この分割物についてのみ主に説明する。
【００６９】
図４を参照すれば、この電池モジュール１０Ａの分割物４０は、電池集合体４２に向かって傾いて配置される分割板４４を含む。具体的に、分割板４４は、流通路４６内に任意の間隔をおいて配置されながら、その一側（流入口側に向かった側）の先端は電池集合体４２と離れるように配置され、その他の一側（前記一側に対向した側）の先端は電池集合体４２に密着するようにする。
【００７０】
このような分割物４０により、流通路４６は第１流通路４６０と第２流通路４６２とに分割される。
【００７１】
ここで、前記分割板４４の傾斜角度は特に限定されない。
【００７２】
以下、図１、図２に示した実施例を参照して、本発明による電池モジュールの作用を詳しく説明する。
【００７３】
図１、図２を参照すれば、流入口２１を通してハウジング２０内部に流入した温度制御用空気は、分割物３０によって分離されて、一部は第１流通路２３０に流入し、一部は第２流通路２３２に流入して、電池集合体１１を通過した後、排出通路２４を通過して、排出口２２を通してハウジング２０の外部に排出されるようになる。
【００７４】
ここで、第２流通路２３２に流入した空気は、電池集合体１１における特定の単位電池１２、つまり、流通路２３での分割物３０が位置した領域に対応して位置した単位電池１２の冷却媒体として利用される。
【００７５】
つまり、第２流通路２３２に流入した冷却用空気は、流入口２６側に対して遠く位置した単位電池１２よりは相対的に近く位置した単位電池１２に誘導されて、これらの冷却媒体として利用される。
【００７６】
言い換えれば、本発明では、ハウジング２０の内部に流入した冷却媒体の一部を、単位集合体１１の位置によって人為的に特定の単位電池１２に誘導して、これらを冷却させるようにしている。
【００７７】
したがって、冷却用空気の進行方向に沿って、ハウジング２０の流入口２１に近く配置された電池集合体１１の単位電池１２にも充分な量の冷却用空気が提供されるので、電池集合体１１の単位電池１２に対する冷却を均一に行うことができる。
【００７８】
この時、分割物３０によって分割されて電池集合体１１の部位別に供給される空気の量は、分割物３０の構造によっていずれかの一方に偏重されず、均等に提供されることができるので、電池集合体１１の前提単位電池１２に対する冷却度はさらに均一に行われることができる。
【００７９】
図５及び図６は、本発明の他の実施例による電池モジュールの概略斜視図及び平断面図である。
【００８０】
この図５及び図６に示した電池モジュールもまた、その基本的な構成は前述の実施例と同一にし、流通路上に設置される分割物の構造のみを別にするので、以下では、この分割物に対して主に説明する。
【００８１】
図５及び図６を参照すれば、この電池モジュール（１０Ｃ）での分割物５０は、流通路５２の内部の中央にこの流通路５２の長さ方向に沿って立てられて設置される板構造物として形成され、具体的に平板形態を有する平板部５４と、この平板部５４に一体に延長形成され、流入口５６側に向かった先端が端部へ行くほど尖った楔形態を成す楔部５８を含む。
【００８２】
ここで、平板部５４は、流通路５２の内側の終端に対応するハウジング６０の内面に密着し、楔部５８は流入口５６に向かった構造を有する。
【００８３】
そのために、流通路５２は複数の流通路５２０に分割され、楔部５８が配置された流通路５２の領域において流通路５２の断面積（流通路の長さ方向に対して垂直した方向の断面積）は、流入口５６から遠くなるほど減少するようになる。
【００８４】
したがって、流入口５６を通してハウジング６０内部に入った冷却用空気は、端部が尖った楔部５８を通過しながら分割されて、流入筒５２を中心に両側に位置している電池集合体６２に各々提供され、この時、流入口５６側の近くに配置された電池集合体６２の単位電池６４には、前記分割物５０の構造によって、充分な冷却用空気の提供を受けて冷却することができ、これによって電池集合体６２の均一な冷却効率を期待することができる。
【００８５】
この実施例で平板部５４の厚さは特に限定されないが、流通路５２の断面の幅に対して２５〜３５％の大きさで形成されるのが好ましい。
【００８６】
つまり、前記平板部５４の厚さが流通路５２の断面の幅に対して２５％以下であると、冷却用空気を流入口５６の側に位置した単位電池６４に誘導することが難しく、３５％より大きいと、冷却用空気を流入口５６から遠く離れた単位電池６４に誘導することが難しい。
【００８７】
一方、平板部５４と楔部５８とが連結される部分の厚さは、実質的に平板部５４と同一であるようにして、前記平板部５４と楔部５８とが滑らかに連結されるようにする。
【００８８】
また、この実施例で平板部５４が位置する区間は、ほぼ流通路５２の内側の終端から電池集合体６２の中間程度の区間と設定される。
【００８９】
例えば、電池集合体６２を成す単位電池６４の個数が２０個である場合、平板部５４が位置する領域は、流入口５６側に向かった方向に、流通路５２の内側先端からほぼ１０番目に位置する単位電池６４までとなることができる。
【００９０】
その結果、流通路５２において楔部５８が位置する領域は、電池集合体６２の中間程度から流入口５６に向かった先端までとなることができる。
【００９１】
この時、楔部５８の先端は、電池集合体６２の先端に合わせて位置することもでき、またはこの電池集合体６２の先端に至らず、平板部５４に向かった内側に位置することもできる。
【００９２】
図７は、本発明の他の実施例による電池モジュール（１０Ｄ）の平断面図であって、この図７に示した電池モジュールもまたその基本的な構成は前述の実施例と同一にし、流通路上に設置される分割物の構造のみを別にするので、以下では、この分割物に対してのみ主に説明する。
【００９３】
図７を参照すれば、この電池モジュール（１０Ｄ）において、分割物７０は、その両側面が傾いて形成されて、流通路７２の内側の先端から流入口７４側に行くほどその幅が狭くなって、終端が尖った形に形成された楔型を成している。
【００９４】
つまり、この実施例における分割物７０は、その両側に位置した電池集合体７６に向かった側面が同一な角度で傾いた傾斜面で形成される。
【００９５】
このような分割物７０は、流通路７２の中心部にこの流通路７２の長さ方向に沿って位置し、その尖った先端は、前述の実施例と同様に電池集合体７６の先端に合わせて位置することもでき、またはこの電池集合体７６の先端に至らずに位置することもできる。
【００９６】
以上、本発明の好ましい実施例について説明したが、本発明はこれに限定されるものではなく、特許請求の範囲と発明の詳細な説明及び添付した図面の範囲内で多様に変形して実施するのが可能であり、これもまた本発明の範囲に属する。
【図面の簡単な説明】
【００９７】
【図１】本発明の実施例による電池モジュールを概略的に示した斜視図である。
【図２】図１の電池モジュールを示した平断面図である。
【図３】図１の電池モジュールにおいて、分割物の変形例を説明するために示した図である。
【図４】本発明の他の実施例による電池モジュールを示した平断面図である。
【図５】本発明のまた他の実施例による電池モジュールを概略的に示した斜視図である。
【図６】図５の電池モジュールを示した平断面図である。
【図７】本発明の他の実施例による電池モジュールを示した平断面図である。
【符号の説明】
【００９８】
１０  電池モジュール
１１、４２、６２、７６  電池集合体
１２、６４  単位電池
１３  隔壁
１４  チャンネル
２０、６０  ハウジング
２１、５６、７４  流入口
２２  排出口
２３、４６、５２、５２０、７２  流通路
２４  排出通路
２５  定着部
２６  流入通路
３０、４０、５０、７０  分割物
３１、４４  分割板
３２、３２´  拡張板
５４  平板部
５８  楔部
２３０、４６０  第１流通路
２３２、４６２  第２流通路
【図１】
0004659699.tif 000002
【図２】
0004659699.tif 000003
【図３】
0004659699.tif 000004
【図４】
0004659699.tif 000005
【図５】
0004659699.tif 000006
【図６】
0004659699.tif 000007
【図７】
0004659699.tif 000008